(57)【特許請求の範囲】
【請求項１】
全体として直方体のカートリッジケース内に磁気テープを巻装した単一のリールを回転可能に収容した、磁気テープカートリッジ用の外部記憶装置に装填される磁気テープカートリッジであって、該カートリッジケースの周面を構成するいずれかの側面に、該周面方向に開閉自在とされるとともに閉位置に付勢された、磁気テープ引出用の開閉扉を有する磁気テープカートリッジにおいて、
前記磁気テープカートリッジが前記外部記憶装置に装填されて前記開閉扉が開位置に移動された状態において前記開閉扉を前記閉位置方向に付勢する力の反作用力に起因する回転モーメントを受ける前記カートリッジケースの前記外部記憶装置に挿入する方向の前面に、該カートリッジケースが前記回転モーメントにより回転するのを防止するように形成された前記外部記憶装置のストッパーに当接する受け凹部が形成されていることを特徴とする磁気テープカートリッジ。
【請求項２】
前記ストッパーがさらに、前記カートリッジケースが上方側に押し上げられるのを抑止するように該カートリッジケースに当接するものであり、前記受け凹部が、該ストッパーに当接する、少なくとも上方を向いた当接面を有するものであることを特徴とする請求項１記載の磁気テープカートリッジ。
【発明の詳細な説明】
【０００１】
【発明の属する技術分野】
本発明は、磁気テープカートリッジに関し、とくにコンピュータに使用するワンリールタイプの磁気テープカートリッジに関するものである。
【０００２】
【従来の技術】
従来、コンピュータ等の外部記憶装置に用いられる記録媒体として使用されている磁気テープカートリッジには、単一のリールに磁気テープを巻装したものをカートリッジケース内に回転自在に収容したタイプのものが知られている。
【０００３】
このような単一のリールのタイプは、外部記憶装置にセットされると、リールに巻装された磁気テープが、外部記憶装置側のドライブ機構によってケースから引き出されて、当該外部記憶装置の磁気記録部で情報の記録が行われ、または既に記録された情報が再生部で読み出され、これらの目的を終了した後はテープはリールに巻き戻されてケース内に再び収容されるように構成されている。そして、磁気テープの引出し側の先端部である自由端部には、記憶装置のドライブ機構がテープをカートリッジケースからスムーズに引き出し、記録部や再生部等を含むテープ走行経路にテープを導入するすためにリーダー片が固着されている。記憶装置のドライブ機構はこのリーダー片を把持してテープを記憶装置内に引き回して所定のテープ走行路にセットする。
【０００４】
このリーダー片はドライブ機構が把持しやすいように、また不用意に磁気テープがケースから引き出されないように、ケース内の一定の位置に係止される必要があり、リーダー片の一部には、ケース側に形成された係止部に係止される被係止部が形成されている。
【０００５】
このようなリーダー片は従来はブロック形状のものが知られており、カートリッジケースの、テープが引き出される開口を塞ぐ蓋としての機能を兼ねるものもある。
【０００６】
また近年、新しいタイプの磁気テープカートリッジが提案されている。この新しいタイプのものは、基本的な構成は従来のものと同様であるが、細部において種々の工夫がなされ、例えば従来のリーダー片に相当するものとして円柱状のリーダーピンが用いられ、これは外部記憶装置に装填されたときにこの装置内における占有スペースを低減するようにも構成されている。この新しいタイプのカートリッジは、不使用時にはリーダーピンがケース内部に収容されてケースの内側に係止されるとともに、リーダーピンが通過するケースの開口には開閉自在の扉（開閉扉）が設けられている。開閉扉はケースの周面方向に沿ってスライドするもので、ばね等の弾性部材により閉位置に付勢されており、外部記憶装置に装填されたときには、この外部記憶装置側の機構により上述した付勢力に抗して、扉が開位置に移動され、ドライブ機構がケース内に係止されたリーダーピンをケースの開口から係引して記憶装置内に引き回すように構成されている。
【０００７】
【発明が解決しようとする課題】
ところで上記開閉扉を有する新しいタイプのカートリッジは、上述したように外部記憶装置に装填されたときに、外部記憶装置側の内部機構により開閉扉が閉位置から開位置に移動されるが、開閉扉は閉位置に付勢されているため、図３に示す、開閉扉27が開位置に移動された状態においては、開閉扉27を付勢している付勢手段27ａによる付勢力の反作用力（Ｙ′方向）がカートリッジケース７側に作用する。カートリッジ１のリール中心部は外部記憶装置 100にチャックされるため、カートリッジケース７は、上記反作用の力によりリール中心部を中心とする回転モーメントＲを受ける。一方、外部記憶装置 100は、カートリッジ１の製造個体差である寸法誤差を吸収するとともにカートリッジ１の装填操作を容易にするために、カートリッジ１が収容される空間はカートリッジケース７の外形寸法よりも大きく形成されてカートリッジケース７との間に予めある程度の隙間が確保されている。この結果、外部記憶装置に装填されたカートリッジ１は上記回転モーメントＲにより上記隙間分だけ回転する。
【０００８】
このようにカートリッジ１が外部記憶装置 100内で回転すると、カートリッジ１を外部記憶装置 100から排出する際に、外部記憶装置側のドライブ機構がケース７を的確に把持することができず、またケース７のコーナー部Ｋが外部記憶装置 100に強く当たり、カートリッジ１の排出操作に支障をきたす虞があるなどの問題がある。
【０００９】
本発明は上記事情に鑑みてなされたものであり、外部記憶装置に装填されたときに、外部記憶装置内部で回転するのを防止した磁気テープカートリッジを提供することを目的とするものである。
【００１０】
【課題を解決するための手段】
本発明の磁気テープカートリッジは、外部記憶装置に装填された状態で、回転モーメントにより位置ずれするのを防止する、外部記憶装置側のストッパーに当接する受け凹部が形成されたものである。
【００１１】
すなわち、本発明の磁気テープカートリッジは、全体として直方体のカートリッジケース内に磁気テープを巻装した単一のリールを回転可能に収容した、磁気テープカートリッジ用の外部記憶装置に装填される磁気テープカートリッジであって、該カートリッジケースの周面を構成するいずれかの側面に、該周面方向に開閉自在とされるとともに閉位置に付勢された、磁気テープ引出用の開閉扉を有する磁気テープカートリッジにおいて、前記磁気テープカートリッジが前記外部記憶装置に装填されて前記開閉扉が開位置に移動された状態において前記開閉扉を前記閉位置方向に付勢する力の反作用力に起因する回転モーメントを受ける前記カートリッジケースの前記外部記憶装置に挿入する方向の前面に、該カートリッジケースが前記回転モーメントにより回転するのを防止するように形成された前記外部記憶装置のストッパーに当接する受け凹部が形成されていることを特徴とするものである。
【００１２】
ここで受け凹部は、外部記憶装置のストッパーの形状に沿った形状であることが望ましく、カートリッジケースに生じる、リール中心部を中心とする回転モーメントを相殺する方向への荷重を受ける面を有するものであることを要する。
【００１３】
さらに、リールに係合してリールの自由な回転を制止するブレーキ機構には、外部記憶装置のブレーキ解除スピンドルが係合するが、この係合によりブレーキ機構はそリールの回転軸方向（上方）に押し上げられる。このブレーキ機構を押し上げる力は、ブレーキ機構を介してカートリッジケースにも掛かるため、前記ストッパーがさらに、カートリッジケースが上方側に押し上げられるのを抑止するように該カートリッジケースに当接するように形成されたものであるときは、前記受け凹部は、このストッパーに当接する、少なくとも上方を向いた当接面を有するものであることが望ましい。
【００１４】
ここで上方を向いた面とは、少なくともストッパーから、カートリッジケースが上方側に押し上げられるのを抑止する荷重を受ける面であればよく、必ずしも水平面に平行な面である必要はなく、水平面に対して傾斜した面であってもよい。
【００１５】
【発明の効果】
本発明の磁気テープカートリッジによれば、磁気テープカートリッジが外部記憶装置に装填されて開閉扉が開位置に移動された状態において、カートリッジケースが、開閉扉を閉位置方向に付勢する力の反作用力に起因する回転モーメントを受けるが、この回転モーメントを相殺するような荷重を加える外部記憶装置のストッパーに当接する受け凹部が形成されているため、カートリッジケースは外部記憶装置内で回転方向に位置ずれすることがない。したがってカートリッジを外部記憶装置から排出する際に、外部記憶装置側のドライブ機構がケースを把持する際も、その把持操作が不安定になることがなく、カートリッジの排出操作に支障をきたすのを防止することができる。
【００１６】
また、受け凹部が、ストッパーに当接する、少なくとも上方を向いた当接面を有するものであるときは、この当接面にストッパーから、カートリッジケースが上方側に押し上げられるのを抑止する荷重を受けるため、リール中心部のハブに外部記憶装置のブレーキ解除スピンドルが係合してブレーキ機構をリールの回転軸方向（上方）に押し上げられたときも、それに伴ってカートリッジケースが上方に押し上げられるのを抑止することができる。
【００１７】
【発明の実施の形態】
以下、本発明の磁気テープカートリッジの具体的な実施形態について、図面を参照して説明する。
【００１８】
図１は本発明の磁気テープカートリッジの一実施形態の構成を示す分解斜視図である。図示した磁気テープカートリッジ１は、下リール５と上リール６とを超音波溶着により結合した単一のリール４に磁気テープ２０を巻装し、上ケース２と下ケース３とがビス等により締結されてなるカートリッジケース７内に、リール４を回動自在に収納して構成されている。
【００１９】
下リール５は外周に磁気テープ２０が巻回される円筒状のリールハブ２３と、リールハブ２３の下端外周から径方向に張り出したフランジ部２４とを合成樹脂により一体成型したもので、リールハブ２３の底部外面にリール４を回転駆動するマグネット式の回転駆動手段を接合させるためのリールプレート８が取付けられる。またリールハブ２３の底部内面には、ブレーキボタン９に形成された制止用ギア９Ａと係合して不使用時の回転を拘束する制止用ギア２３Ａが刻設されている。また、リールハブ２３には、磁気テープカートリッジ１を使用する外部記憶装置等の記録再生装置（ドライブ）に設けられたドライブ解除スピンドルが挿通されてブレーキボタン９を上方へ移動させるための開口２３Ｂが形成されている。
【００２０】
ブレーキボタン９は、リールハブ２３と対向する側に上述した制止用ギア９Ａが形成されており、それとは反対側に上ケース２に形成されたブレーキガイド突起が嵌合される嵌合溝９Ｂが形成されている。そして、ブレーキボタン９はコイルバネ１０により図中下方に付勢された状態でリールハブ２３内部に装着されており、ブレーキボタン９とリールハブ２３との制止用ギア９Ａ，２３Ａが咬み合ってリール４の不使用時における回転が防止されている。一方、カートリッジ使用時は、ドライブのドライブ解除スピンドルがブレーキボタン９を押圧すると、ブレーキボタン９がコイルバネ１０の付勢力に抗して図中上方へ移動し、これにより制止用ギア９Ａ，２３Ａの係合が解除され、リール４が回転自在とされる。
【００２１】
また、カートリッジケース７の一側壁には、磁気テープ２０を引き出すための開口部２６が形成されている。開口部２６にはカートリッジケース７の側壁に平行な矢印Ｙ，Ｙ′方向に移動可能なスライドドア２７が取付けられている。スライドドア２７はバネ２７ａにより、開口部２６を閉じる方向に付勢されている。
【００２２】
また、磁気テープカートリッジ１はその不使用時に磁気テープ２０が完全にリール４に巻き込まれた状態で、磁気テープ２０の端部に取付けられたリーダピン２１（磁気テープカートリッジ１を使用するドライブが磁気テープ２０を装置内のテープ走行路に導入するための手段）が開口部２６の近傍に形成された凹部２８に係止される。
【００２３】
一方、磁気テープカートリッジ１をドライブへ挿入する方向（装填方向；図中矢印Ｙ）のケース７の前面（装填方向前面）に、ケース回転防止用の受け凹部７ａが設けられている。この受け凹部７ａは、上ケース２と下ケース３とが締結された状態において全体として円錐形の周面の内面形状を有するものである。そして、装填方向Ｙにドライブに挿入されると、磁気テープカートリッジ１は、ドライブ内の、円錐状に突出して形成されたストッパー 110（図２参照）が、この受け凹部７ａに密着するように当接する。
【００２４】
また、上述したようにブレーキボタン９とリールハブ２３との制止用ギア９Ａ，２３Ａの係止が解除されてリール４が回転自在とされるとともに、マグネット式の回転駆動手段がリールプレート８と接合してリール４を回転する。これとともに、スライドドア２７がドライブの内部機構（図示せず）によりバネ２７ａの付勢力に抗して開かれて、リーダピン２１がテープ走行路の所定位置に引き込まれ、磁気テープ２０へのデータの読み書きが可能となる。
【００２５】
次に、上記受け凹部７ａについて詳説する。
【００２６】
カートリッジ１はドライブ 100に装填された状態において、図３に示すように、ドライブ 100の内部機構によりスライドドア２７が開かれるが、スライドドア２７はバネ２７ａによる付勢力を受けているため、開かれた状態においては、バネ２７ａの付勢力の反作用力（Ｙ′方向）がカートリッジケース７側に作用する。カートリッジ１のリール中心部はドライブ解除スピンドルが挿通されて固定されるため、カートリッジケース７は、この反作用の力によりリール中心部を中心とする回転モーメントＲを受ける。一方、ドライブ 100は、カートリッジ１の製造個体差である寸法誤差を吸収するとともにカートリッジ１の装填操作を容易にするために、カートリッジ１が収容される空間はカートリッジケース７の外形寸法よりも大きく形成されてカートリッジケース７との間に予めある程度の隙間が確保されている。この結果、ドライブ 100に装填されたカートリッジ１は上記回転モーメントＲにより上記隙間分だけ回転することになる。
【００２７】
しかし、本実施形態のカートリッジ１には、上述した受け凹部７ａが形成されており、図２（２）に示すように、ドライブ 100のストッパー 110が、この受け凹部７ａに密着するように当接する。この結果カートリッジ１は、ストッパー 110から、回転モーメントＲを相殺するような回転モーメントＲ′を与えるＹ′方向への荷重を受け、カートリッジ１の回転が防止される。
【００２８】
また、このカートリッジ１のブレーキボタン９は、ドライブ 100の図示しないドライブ解除スピンドルにより図示上方（Ｕ方向）に移動されるが、このときケース７は、コイルバネ１０の付勢力の反作用の力（Ｕ方向）を受ける。
【００２９】
しかし受け凹部７ａにドライブ 100のストッパー 110が密着するように当接しているため、カートリッジ１はストッパー 110から、このＵ方向への力を相殺する方向（Ｕ′方向）に荷重を受ける。したがって、カートリッジ１がＵ方向に移動するのが防止される。
【００３０】
なお上記実施形態は、円錐形の周面の内面形状を有する受け凹部を備えた例であるが、本発明の磁気テープカートリッジは、このような形状の受け凹部を有するものに限るものではなく、例えば図４または５に示すように、ドライブ 100のストッパー 120または 130の形状に応じた形状の受け凹部７ｂまたは７ｃを有するものであってもよい。
【図面の簡単な説明】
【図１】本発明の磁気テープカートリッジの一実施形態の構成を示す分解斜視図
【図２】受け凹部の詳細を示す図（その１）
【図３】磁気テープカートリッジが受ける回転モーメントを説明する図
【図４】受け凹部の詳細を示す図（その２）
【図５】受け凹部の詳細を示す図（その３）
【符号の説明】
１    磁気テープカートリッジ
２    上ケース
３    下ケース
４    リール
７    カートリッジケース
７ａ，７ｂ，７ｃ  受け凹部
110,120,130   ストッパー
【図１】
0003953623.tif 000002
【図２】
0003953623.tif 000003
【図３】
0003953623.tif 000004
【図４】
0003953623.tif 000005
【図５】
0003953623.tif 000006